(57)【要約】【課題】複数の遊技機を同時に搬送できるとともに、使用せずに収納しておくときにはコンパクトな構造となる遊技機用台車を提供する。【解決手段】下面にキャスタ６が固定されている載置台４は、立てて載置した遊技機Ｐを係合凹部８と、複数の転倒防止板１０ａ，１０ｂ、１０ｃ、１２ａ，１２ｂと固定バンド２８とで支持している。そして、載置台は、平面的に並べた他の載置台と連結する連結部２０ａ，２０ｂを備えている。また、載置台の下面の所定位置には係合用スリット２４が形成されており、複数の載置台を上下に重ね合わせたときに、下部に位置している載置台の所定の転倒防止板１０ａ，１０ｂ、１０ｃが、上部に位置している載置台の前記係合用スリット内に嵌まり込む。【選択図】        図５
2004166981.tif 000002
【特許請求の範囲】
【請求項１】
下面に複数のキャスタが固定されている載置台と、この載置台上に立てた一台の遊技機の下部が嵌まり込むように該載置台の上面に形成した係合凹部と、この係合凹部を囲むように立ち上がって前記遊技機の下部を支持する複数の転倒防止板と、前記遊技機を間に挟んで互いに対向する位置に配置した前記転倒防止板の一対に端部が連結し、前記遊技機の上部に掛け渡すことで該遊技機を固定する固定バンドと、を備えたことを特徴とする遊技機用台車。
【請求項２】
前記載置台は、平面的に並べた他の載置台と連結する連結部を備えていることを特徴とする請求項１記載の遊技機用台車。
【請求項３】
前記載置台の下面に、立ち下がり、或いは前記下面に沿った状態に回動自在とした少なくとも一対の保持板を設け、当該載置台を前記遊技機の上部に載せたときに、前記一対の保持板が立ち下がった状態となることで、前記遊技機を挟み込んで保持することを特徴とする請求項１又は２記載の遊技機用台車。
【請求項４】
前記載置台の下面の所定位置に係合用スリットを設け、複数の載置台を上下に重ね合わせたときに、下部に位置している載置台の所定の転倒防止板が、上部に位置している載置台の前記係合用スリット内に嵌まり込むことを特徴とする請求項１乃至３の何れかに記載の遊技機用台車。
【発明の詳細な説明】
【０００１】
【発明の属する技術分野】
本発明は、パチンコ機等の遊技機の運搬に使用する遊技機用台車に関する。
【０００２】
【従来の技術】
パチンコ機等の遊技機を運搬する際には、通常、一台ずつビニール包装又は専用のダンボールで梱包している。しかし、一台ずつビニール包装やダンポール梱包を行うと、遊技機を取り出した後にビニールやダンボール等の多くの廃材が発生するので環境問題の面で問題がある。
【０００３】
廃材を発生させずに遊技機を運搬する方法として、例えば、遊技機の枠体の一部にキャスタを着脱自在に装着する方法が知られている。（例えば、特許文献１。）。また、コンテナ内に複数の遊技機を並べておき、コンテナの下部にキャスタを取り付けて複数の遊技機を同時に搬送可能とする方法も知られている（例えば、特許文献２。）。
【０００４】
【特許文献１】
特開平１０―２９５９０６号公報
【特許文献２】
特開平１０―２４９８４号公報
【０００５】
【発明が解決しようとする課題】
しかし、特許文献１は、キャスタを使用することで遊技機の移動を容易に行うことができるが、一台ずつ搬送しなければならないので搬送効率の面で問題がある。また、トラック等による輸送の際の転倒防止については何等考慮がなされていない。
【０００６】
また、特許文献２は、コンテナを移動することで複数の遊技機を同時に搬送することができるので、人的労力が低減し、搬送効率が向上する。しかも、トラック等の輸送の際の荷崩れ等を防止することができる。しかし、このコンテナは大型の箱体構造なので、２〜３台の遊技機を輸送する場合であってもトラックの荷台スペースの大部分を占有してしまう。また、空となったコンテナを倉庫等の保管場所に保管しておく場合、多くのスペースを占有してしまうという問題がある。
【０００７】
そこで、本発明は上記事情に鑑みてなされたもので、輸送する際の荷崩れによる遊技機の破損を防止し、複数の遊技機を同時に搬送できることで搬送効率が向上するとともに、使用せずに収納しておくときにはコンパクトな構造となる遊技機用台車を提供することを目的としている。
【０００８】
【課題を解決するための手段】
上記問題を解決するために、請求項１記載の遊技機用台車は、下面に複数のキャスタが固定されている載置台と、この載置台上に立てた一台の遊技機の下部が嵌まり込むように該載置台の上面に形成した係合凹部と、この係合凹部を囲むように立ち上がって前記遊技機の下部を支持する複数の転倒防止板と、前記遊技機を間に挟んで互いに対向する位置に配置した前記転倒防止板の一対に端部が連結し、前記遊技機の上部に掛け渡すことで該遊技機を固定する固定バンドと、を備えた遊技機用台車である。
【０００９】
また、請求項２記載の発明は、請求項１記載の遊技機用台車において、前記載置台は、平面的に並べた他の載置台と連結する連結部を備えている。
また、請求項３記載の発明は、請求項１又は２記載の遊技機用台車において、前記載置台の下面に、立ち下がり、或いは前記下面に沿った状態に回動自在とした少なくとも一対の保持板を設け、当該載置台を前記遊技機の上部に載せたときに、前記一対の保持板が立ち下がった状態となることで、前記遊技機を挟み込んで保持することを特徴とする。
【００１０】
さらに、請求項４記載の発明は、請求項１乃至３の何れかに記載の遊技機用台車において、前記載置台の下面の所定位置に係合用スリットを設け、複数の載置台を上下に重ね合わせたときに、下部に位置している載置台の所定の転倒防止板が、上部に位置している載置台の前記係合用スリット内に嵌まり込むようにした。
【００１１】
【発明の実施の形態】
以下、本発明に係る遊技機用台車の１実施形態について、図面を参照して説明する。
図１はパチンコ機用台車（以下、台車と称する）２を示す斜視図、図２は台車２の上面を示した図、図３は台車２の底面を示した図、図４は図３のＡ−Ａ線矢視図である。
【００１２】
これらの図を参照して台車２を説明すると、台車２を構成する平面視矩形状とした載置台４の下面の４隅には、４個のキャスタ６が固定されている。
図１に示すように載置台４の上面には、パチンコ機の下部の形状と略同形状とした矩形状の係合凹部８が形成されている。
この係合凹部８に沿った載置台４の上面には、この係合凹部８の幅方向の一方側に２枚の係合板１０ａ、１０ｂが立設した状態で固定されており、幅方向の他方側に前記２枚の係合板１０ａ、１０ｂと対向しない位置に１枚の係合板１０ｃが立設した状態で固定されている。
【００１３】
また、係合凹部８に沿った係合凹部８の長手方向の両側にも、２枚の係合板１２ａ、１２ｂが立設した状態で配置されている。係合板１２ａ、１２ｂは、ヒンジ１４を介して載置台４の上面に固定されており、図４に示すように、係合凹部８に向けて倒れ込むことが可能な構造となっている。そして、係合板１２ａ、１２ｂの係合凹部８側を向く面には吸盤１６が配置されているとともに、それら係合板１２ａ、１２ｂの最上部には、後述する固定バンドの両端部に連結する逆Ｕ字形状のバンド連結部１８が設けられている。ここで、３枚の係合板１０ａ，１０ｂ，１０ｃと、立設した状態の２枚の係合板１２ａ，１２ｂとが、本発明の転倒防止板に相当する。
【００１４】
また、図１に示すように、載置台４の上面の幅方向の一方側にはフック部２０ａが設けられているとともに、幅方向の他方側にはフック係合部２０ｂが設けられている。フック部２０ａは、図３に示すように、水平方向に回動することで、隣接配置した他の載置台４のフック係合部２０ｂに係合するようになっている。そして、図１及び図２に示すように、載置台４の幅方向の一方の側面には、係合凸部２６ａと係合凹部２６ｂとが設けられているとともに、幅方向の他方の側面の係合凸部２６ａ及び係合凹部２６ｂに対応する位置には、係合凹部２８ａと係合凸部２８ｂとが設けられている。これら係合凸部２６ａ、係合凹部２６ｂ、係合凹部２８ａ及び係合凸部２８ｂと前述したフック部２０ａ、フック係合部２０ｂが、本発明の連結部に相当する。
【００１５】
一方、図３に示すように、載置台４の下面の長手方向の両側には、一対の保持板２２，２２が配置されている。これら一対の保持板２２，２２は、ヒンジ２３を介して下面に固定されており、図５に示すように、立ち下がった状態、或いは、下面に沿った状態に回動自在な構造となっている。これら保持板２２，２２の互いに対向する面には吸盤１６が配置されている。
【００１６】
なお、図３の符号３０は、保持板２２，２２が載置台４の下面に沿った状態を保持するための下面に設けた保持板押え用フックである。
また、載置台４の下面には、直線状に延在するスリット（係合用スリット）２４が３箇所設けられており、複数の載置台４を上下に重ね合わせたときに、下部に位置している載置台４の３枚の係合板１０ａ，１０ｂ，１０ｃが、上部に位置している３箇所のスリット２４内に嵌まり込む構造となっている。
【００１７】
そして、載置台４の下面のスリット２４に囲まれた位置には、後述する固定バンドの係合穴２８ａに係合する位置合わせ・転倒防止用突起２９が、所定の距離をあけて２箇所設けられている。
次に、図５は、一台のパチンコ機Ｐを台車２に載せた状態を示すものである。パチンコ機Ｐは、その下部が係合凹部８内に嵌め込まれてた状態で立てた状態で載置されている。パチンコ機Ｐの下部が係合凹部８内に嵌まり込むと、係合凹部８の周囲に配置した係合板１０ａ，１０ｂ，１０ｃと、立設した係合板１２ａ，１２ｂがパチンコ機Ｐの下部を支持する。
【００１８】
そして、係合板１２ａ，１２ｂのバンド連結部１８に、パチンコ機Ｐの上部に掛け渡して緊張させた固定バンド２８の両端部を結合する。ここで、固定バンド２８のパチンコ機Ｐの上面で延在している部分には、前述した載置台４の下面に設けた位置合わせ・転倒防止用突起２９が係合する係合穴２８ａが設けられている。
【００１９】
上記の構造で一台のパチンコ機Ｐを台車２に載せると、キャスタ６を使用して台車２を移動させることで、パチンコホール内の所定位置までパチンコ機Ｐを簡単に移動することができるので、人的労力が低減し、搬送効率が向上する。
また、パチンコ機Ｐをトラックで輸送する際には、係合凹部８の周囲に配置した係合板１０ａ，１０ｂ，１０ｃと、立設した係合板１２ａ，１２ｂがパチンコ機Ｐの下部を確実に支持し、固定バンド２８がパチンコ機Ｐの傾くのを確実に防止するので、荷崩れによるパチンコ機Ｐの破損を確実に防止することができる。
【００２０】
また、台車２は小型なので、トラックの荷台スペースを占有してしまうおそれがない。
次に、図６は、２台のパチンコ機Ｐをパチンコホール内で搬送する状態を示すものである。この場合には、それぞれのパチンコ機Ｐを、図５と同様の構造で台車２上に載置するが、上部の台車２に配置されている一対の保持板２２，２２を立ち下がった状態とし、その保持板２２，２２を下部に位置したパチンコ機Ｐの両側面に当接するとともに、台車２の下面に設けた位置合わせ・転倒防止用突起２９を、下部に位置したパチンコ機Ｐに掛け渡した固定バンド２８の係合穴２８ａに係合することで、位置合わせと転倒を防止しながらパチンコ機Ｐを保持した状態とする。
【００２１】
上記の構造で２台のパチンコ機Ｐを搬送すると、下側の台車２のキャスタ６を使用することで、パチンコホール内の所定位置まで２台のパチンコ機Ｐを簡単に移動することができるので、さらに搬送効率が向上する。
また、図７は、４台のパチンコ機Ｐを、トラックで輸送している状態、或いはパチンコホール内で搬送する状態を示すものである。なお、この図では、各パチンコ機Ｐの上部に掛け渡されている固定バンドは省略している。この場合には、２台のパチンコ機Ｐをそれぞれ載置している台車２のうち一方のフック部２０ａを、他方の台車２のフック係合部２０ｂに係合する。それと同時に、一方の台車２の係合凸部２６ａ及び係合凹部２６ｂと、他方の台車２の係合凹部２８ａ及び係合凸部２８ｂとを嵌め合わせる。これにより、２台のパチンコ機Ｐを載置している２台の台車２は平面的に連結される。
【００２２】
また、２台のパチンコ機Ｐの上部に、保持板２２を立ち下がった状態とした２台の台車２を載置し、保持板２２を下部に位置したパチンコ機Ｐの両側面に当接することで、下部のパチンコ機Ｐを保持した状態とする。ここで、上部の２台の台車２も、フック部２０ａ及びフック係合部２０ｂが係合し、係合凸部２６ａ及び係合凹部２６ｂと係合凹部２８ａ及び係合凸部２８ｂとが嵌め合わされて平面的に連結されている。
【００２３】
上記の構造で４台のパチンコ機Ｐを搬送すると、パチンコホール内の搬送効率がさらに向上するとともに、トラックで輸送する際にも、平面的に連結した台車２同士がパチンコ機Ｐの荷崩れを確実に防止することができる。
さらに、図８は、パチンコ機Ｐの搬送が終了した２台の台車２を上下に重ね合わせて倉庫等に収納する状態を示すものである。
【００２４】
この際、上部及び下部の台車２の係合板１２ａ，１２ｂを係合凹部８に向けて倒し、保持板２２を載置台４の下面に沿う位置まで倒しておくとともに、上部の台車２の保持板２２，２２を保持板押え用フック３０を使用して載置台４の下面に沿った状態とする。そして、上部の台車２の下面に形成したスリット２４に、下部の台車の係合板１０ａ，１０ｂ，１０ｃを嵌め込む。
【００２５】
上記構造によると、台車２を上下に重ね合わせた際に、上部の台車２のキャスタ６が下部の台車２の載置台４上で回転しようとするが、上部の台車２のスリット２４に、下部の台車の係合板１０ａ，１０ｂ，１０ｃが嵌まり込んで、上部の台車２の移動を拘束するので、上下の台車２を確実に重ね合わせることができる。
そして、複数台の台車２を上下に重ね合わせてコンパクトな構造で収納しておくことができるので、倉庫等の保管場所のスペースが小さなスペースで済む。
【００２６】
【発明の効果】
以上説明したように、請求項１記載の遊技機用台車によると、載置台に立てた遊技機を、載置台に形成した係合凹部、転倒防止板及び固定バンドで支持し、載置台にキャスタを固定しているので、フロア内の遊技機の搬送を人的労力を低減して行うことができる。また、遊技機をトラックで輸送する際にも、荷崩れによる破損を確実に防止することができる。
【００２７】
また、請求項２、３記載の発明によると、複数の遊技機を同時に搬送することができるので、搬送効率が大幅に向上する。
さらに、請求項４記載の発明によると、台車を上下に重ね合わせると、上部の台車のキャスタが下部の台車の載置台上で回転しようとするが、上部の台車の係合用スリットに、下部の台車の転倒防止板が嵌まり込んで上部の台車の移動を拘束するので、上下の台車を確実に重ね合わせることができる。したがって、複数台の台車を上下に重ね合わせてコンパクトな構造で収納しておくことができるので、倉庫等の保管場所のスペースが小さなスペースで済む。
【図面の簡単な説明】
【図１】本発明の遊技機用台車を示す斜視図である。
【図２】本発明の遊技機用台車の上面を示す図である。
【図３】本発明の遊技機用台車の下面を示す図である。
【図４】図２のＡ−Ａ線矢視断面を示す図である。
【図５】一台の遊技機用台車に遊技機を載せた状態を示す図である。
【図６】２台の遊技機用台車を使用し、２台の遊技機を上下に重ねて搬送する状態を示す図である。
【図７】２台ずつの遊技機用台車を平面的に連結し、それらに４台の遊技機を載せて搬送する状態を示す図である。
【図８】遊技機の搬送が終了した空の２台の台車を収納している状態を示す図である。
【符号の説明】
２  台車
４  載置台
６        キャスタ
８  係合凹部
１０ａ，１０ｂ，１０ｃ，１２ａ，１２ｂ  係合板
１８  バンド連結部
２０ａ  フック部
２０ｂ  フック係合部
２２  保持板
２４  スリット（係合用スリット）
２６ａ，２８ｂ  係合凸部
２６ｂ，２８ａ        係合凹部
２８  固定バンド
２８ａ  係合穴
２９  位置合わせ・転倒防止用突起
３０  保持板押え用フック
Ｐ  パチンコ機
【図１】
2004166981.tif 000003
【図２】
2004166981.tif 000004
【図３】
2004166981.tif 000005
【図４】
2004166981.tif 000006
【図５】
2004166981.tif 000007
【図６】
2004166981.tif 000008
【図７】
2004166981.tif 000009
【図８】
2004166981.tif 000010